(57)【要約】      （修正有）【課題】挿通穴に吊紐を挿通する作業が全く不要となり、それだけ、吊下作業性を向上することができる吊り具を提供する。【解決手段】地上から植立する樹木の枝などを吊紐Ｗで吊下する吊り具であって、地上に立設される支柱部材２に上下摺動自在に装着され、支柱部材の任意位置に固定される円筒状部材１からなり、円筒状部材の外周面に吊紐を引掛可能な略Ｕ状の紐掛部材４を開口部を上にして複数個囲繞固着してなる。【選択図】図４
0003204540.tif 000002
【実用新案登録請求の範囲】
【請求項１】
地上から植立する樹木の枝などを吊紐で吊下する吊り具であって、地上に立設される支柱部材に上下摺動自在に装着され、該支柱部材の任意位置に固定される円筒状部材からなり、上記円筒状部材の外周面に上記吊紐を引掛可能な略Ｕ状の紐掛部材を開口部を上にして複数個囲繞固着してなることを特徴とする吊り具。
【請求項２】
上記支柱部材は金属製の管材からなり、上記円筒状部材は金属製の管材からなることを特徴とする請求項１記載の吊り具。
【請求項３】
上記円筒状部材を上記支柱部材に止着固定可能な止着ボルトを設けてなることを特徴とする請求項１又は２記載の吊り具。
【考案の詳細な説明】
【技術分野】
【０００１】
本考案は、例えば、降雪時の樹木の枝や果樹園の果樹の枝等を吊下支持する際に用いられる吊り具に関するものである。
【背景技術】
【０００２】
従来、この種の吊り具として、地上に立設される木製あるいは金属製の支柱部材に止着固定される取付部材に挿通穴を形成し、挿通穴に吊紐を挿通して吊紐の上端部を止着し、吊紐の下端部を樹木の枝や果樹棚の果樹の枝に止着し、降雪時の樹木の枝や果樹棚の果樹の枝の損傷を防ぐ構造のものが知られている。
【先行技術文献】
【特許文献】
【０００３】
【特許文献１】実用新案登録第３１０８３４０号
【特許文献２】特開２００１−３７３５４
【考案の概要】
【考案が解決しようとする課題】
【０００４】
しかしながら上記従来構造の場合、吊下作業に際し、支柱部材に固定された取付部材の挿通穴に吊紐の上端部を挿通し、挿通後、取付部材に吊紐を縛着することになり、これら作業の内、取付部材を支柱部材に固定する前の段階であればまだしも、取付部材を支柱部材に固定した後になると、地上においての上記挿通穴への吊紐の挿通作業が非常に面倒であり、それだけ、吊下作業性が低下することがあるという不都合を有している。
【課題を解決するための手段】
【０００５】
本考案はこれらの不都合を解決することを目的とするもので、本考案のうちで、請求項１記載の考案は、地上から植立する樹木の枝などを吊紐で吊下する吊り具であって、地上に立設される支柱部材に上下摺動自在に装着され、該支柱部材の任意位置に固定される円筒状部材からなり、上記円筒状部材の外周面に上記吊紐を引掛可能な略Ｕ状の紐掛部材を開口部を上にして複数個囲繞固着してなることを特徴とする吊り具にある。
【０００６】
又、請求項２記載の考案は、上記支柱部材は金属製の管材からなり、上記円筒状部材は金属製の管材からなることを特徴とするものであり、又、請求項３記載の考案は、上記円筒状部材を上記支柱部材に止着固定可能な止着ボルトを設けてなることを特徴とするものである。
【考案の効果】
【０００７】
本考案は上述の如く、請求項１記載の考案にあっては、地上に立設される支柱部材に円筒状部材を上下摺動自在に装着し、支柱部材の任意位置に円筒状部材を固定し、円筒状部材の外周面に複数個囲繞固着された略Ｕ状の紐掛部材に吊紐の上端部を引掛け、吊紐の下端部を樹木の枝に引掛けることにより降雪時の樹木の枝や果樹棚の果樹の枝を折れ損傷から保護することができ、吊紐の上端部を紐掛部材の引掛部に引き掛ける作業となり、従来構造のような挿通穴に吊紐を挿通する作業が全く不要となり、それだけ、吊下作業性を向上することができる。
【０００８】
又、請求項２記載の考案にあっては、上記支柱部材は金属製の管材からなり、上記円筒状部材は金属製の管材からなるので、円筒状部材の内周面と支柱部材の外周面との嵌合装着を円滑に行うことができ、請求項３記載の考案にあっては、上記円筒状部材を上記支柱部材に止着固定可能な止着ボルトを設けているから、止着ボルトの締付又は弛緩回動により円筒状部材を支柱部材に容易に着脱することができる。
【図面の簡単な説明】
【０００９】
【図１】本考案の実施の形態例の全体斜視図である。
【図２】本考案の実施の形態例の平面図である。
【図３】本考案の実施の形態例の側面図である。
【図４】本考案の実施の形態例の使用状態の斜視図である。
【図５】本考案の実施の形態例の平断面図である。
【図６】本考案の実施の形態例の部分側断面図である。
【図７】本考案の実施の形態例の使用状態の側面図である。
【図８】本考案の実施の形態例の他の使用状態の斜視図である。
【図９】本考案の実施の形態例の他の使用状態の側面図である。
【図１０】本考案の実施の形態例の他の使用状態の側面図である。
【考案を実施するための形態】
【００１０】
図１乃至図１０は本考案の実施の形態例を示し、１は円筒状部材であって、この場合、図１、図２、図３の如く、金属製の管材からなり、地上Ｆに立設される支柱部材２、この場合、金属製の管材に上下摺動自在に装着され、支柱部材２の任意位置に上下二個の止着ボルト３により固定されるように構成されている。尚、上記支柱部材２は保護すべき樹木の樹幹に添わせて縛着して地上Ｆに立設したり、上記支柱部材２の下端部を土中Ｄに埋設して地上Ｆに立設したりすることになる。
【００１１】
４は紐掛部材であって、この場合、図１、図２、図３の如く、金属製の丸棒材を略Ｕ状に折曲して形成され、この略Ｕ状の紐掛部材４・・を開口部を上にして複数個、この場合、３個、三等配状に溶接により囲繞固着し、紐掛部材４の開口部の両端部４ａ・４ａをそれぞれ吊紐Ｗを引掛可能な引掛部４ｂ・４ｂに形成している。
【００１２】
この実施の形態例は上記構成であるから、例えば、図７の如く、降雪時の樹木の枝の保護作業、所謂、雪吊り作業にあっては、図５、図６の如く、地上に立設される支柱部材２に円筒状部材１を上下摺動自在に装着し、支柱部材２の任意位置に円筒状部材１を固定し、図４の如く、円筒状部材１の外周面に複数個囲繞固着された略Ｕ状の紐掛部材４・・の開口部の両端部４ａ・４ａの引掛部４ｂ・４ｂに吊紐Ｗの折り返し状の上端部を引掛け、この吊紐Ｗの下端部を樹木の枝Ｇに引掛け、これにより吊紐Ｗを紐掛部材４・・の引掛部４ｂ・４ｂと樹木の枝Ｇとの間に緊張状態で架設し、これにより降雪時の樹木の枝Ｇを折れ損傷から保護することができ、この際、吊紐Ｗの上端部を紐掛部材４・・の引掛部４ｂ・４ｂに引掛ける作業となり、従来構造のような挿通穴に吊紐を挿通する作業が全く不要となり、それだけ、吊下作業性を向上することができる。
【００１３】
又、この場合、上記支柱部材２は金属製の管材からなり、上記円筒状部材１は金属製の管材からなるので、円筒状部材１の内周面と支柱部材２の外周面との嵌合装着を円滑に行うことができ、この場合、上記円筒状部材１を上記支柱部材２に止着固定可能な止着ボルト３を設けているから、止着ボルト３の締付又は弛緩回動により円筒状部材１を支柱部材２に容易に着脱することができる。
【００１４】
又、図８の如く、上記吊紐Ｗの上端部に輪部Ｗ１を形成し、この輪部Ｗ１を紐掛部材４・・の引掛部４ｂ・４ｂに引掛けることもあり、又、図９の如く、支柱部材２の任意位置に円筒状部材１を複数個、この場合、２個取付け、各円筒状部材１の紐掛部材４・・の引掛部４ｂ・４ｂに吊紐Ｗの上端部を引掛けることもあり、又、図１０の如く、果樹園等の地上Ｆに支柱部材２を立設し、支柱部材２の任意位置に円筒状部材１を固定し、円筒状部材１の外周面に複数個囲繞固着された略Ｕ状の紐掛部材４・・に上記吊紐Ｗを引掛け、紐掛部材４・・と果樹棚Ｋの果樹の枝Ｇに吊紐Ｗを緊張状態で掛架することにより果樹棚Ｋの果樹の枝Ｇの損傷を防ぐことができ、吊紐Ｗの上端部を紐掛部材４・・の引掛部４ｂ・４ｂに引掛ける作業となり、従来構造のような挿通穴に吊紐を挿通する作業が全く不要となり、それだけ、吊下作業性を向上することができる。
【００１５】
尚、本考案は上記実施の形態例に限られるものではなく、円筒状部材１、支柱部材２、紐掛部材４の構造や数、形態等は適宜設計して変更される。
【００１６】
以上、所期の目的を充分達成することができる。
【符号の説明】
【００１７】
Ｆ    地上
Ｗ    吊紐
Ｇ    枝
１    円筒状部材
２    支柱部材
３    止着ボルト
４    紐掛部材
【図１】
0003204540.tif 000003
【図２】
0003204540.tif 000004
【図３】
0003204540.tif 000005
【図４】
0003204540.tif 000006
【図５】
0003204540.tif 000007
【図６】
0003204540.tif 000008
【図７】
0003204540.tif 000009
【図８】
0003204540.tif 000010
【図９】
0003204540.tif 000011
【図１０】
0003204540.tif 000012